(57)【要約】【課題】ローカルサーバ周辺の情報を安定して得ることが可能なローカル情報提供システム、携帯端末及びローカル情報管理サーバを提供すること。【解決手段】一例のローカル情報提供システムは、設置位置が特定され自己を識別できる識別名又は他の識別データを所定範囲内で送信するローカル送受信機と、このローカル送受信機の電波到達範囲に入ったときに前記識別名又は前記識別データを受信し、前記識別名又は前記識別データを、ネットワークを介して送信する携帯端末と、この携帯端末から送信される前記識別名又は前記識別データを、前記ネットワークを介して受信し前記ローカル送受信機の位置に関連する情報の所在を示す情報アドレスを検索して前記携帯端末に送信するローカル情報管理サーバと、を有する。【選択図】図１
2014090351.tif 000002
【特許請求の範囲】
【請求項１】
設置位置が特定され自己を識別できる識別名又は他の識別データを所定範囲内で送信するローカル送受信機と、
このローカル送受信機の電波到達範囲に入ったときに前記識別名又は前記識別データを受信し、前記識別名又は前記識別データを、ネットワークを介して送信する携帯端末と、
この携帯端末から送信される前記識別名又は前記識別データを、前記ネットワークを介して受信し前記ローカル送受信機の位置に関連する情報の所在を示す情報アドレスを検索して前記携帯端末に送信するローカル情報管理サーバと、
を有することを特徴とするローカル情報提供システム。
【請求項２】
設置位置が特定され自己を識別できる機器名を所定範囲内で送信するローカル送受信機と、
このローカル送受信機の電波到達範囲に入ったときに前記機器名を受信し、前記ローカル送受信機に他の識別データを要求し、前記ローカル送受信機から送信される前記識別データと前記ローカル送受信機の前記機器名を、ネットワークを介して送信する携帯端末と、
この携帯端末から送信される前記識別データ及び前記機器名を、前記ネットワークを介して受信し前記ローカル送受信機の位置に関連する情報の所在を示す情報アドレスを検索して前記携帯端末に送信するローカル情報管理サーバと、
を有することを特徴とするローカル情報提供システム。
【請求項３】
設置位置が特定され自己を識別できる機器名を所定範囲内で送信するローカル送受信機の電波到達範囲に入ったときに前記機器名を受信する機器名受信手段と、
前記機器名を前記ローカル送受信機に送信して他の識別データを要求しこの識別データを取得する識別データ取得手段と、
この識別データ取得手段により取得した前記識別データと前記機器名を、前記ローカル送受信機の位置に関連する情報の所在を示す情報アドレスを記憶するローカル情報管理サーバに送信する識別データ送信手段と、
前記識別データに対応する前記情報アドレスを前記ローカル情報管理サーバから受信する情報アドレス受信手段と
を有することを特徴とする携帯端末。
【請求項４】
設置位置が特定され自己を識別できる識別名を所定範囲内で送信するローカル送受信機の電波到達範囲に携帯端末が入ったときに受信した前記識別名及び前記ローカル送受信機の他の識別データを前記携帯端末から送信された電波を、ネットワークを介して受信するデータ受信手段と、
このデータ受信手段により受信した前記識別名及び前記識別データに対応して前記ローカル送受信機の位置に関連する情報の所在を示す情報アドレスを検索する情報アドレス検索手段と、
この情報アドレス検索手段により検索された情報アドレスを前記携帯端末に送信する情報アドレス送信手段と、
を有するローカル情報管理サーバ。
【発明の詳細な説明】
【技術分野】
【０００１】
本発明の実施形態は、ローカル情報を提供するローカル情報提供システム、携帯端末及びローカル情報管理サーバに関する。
【背景技術】
【０００２】
従来の近距離無線通信の分野では、ＢＴ通信が急速に普及してきている。ブルートゥース（以下ＢＴと略する）では、実際にアプリケーションを動作させる前に、自己の携帯端末を情報提供サーバなど他のＢＴ機器と関係づけるペアリング処理が必要である。しかもこの処理は通常、自己の携帯端末から相手の機器を探して、それを関連付けるために手作業で行わなければならず、煩雑であった。
【０００３】
また、他のＢＴ装置が周辺の情報を提供するローカルサーバなどである場合、多くの情報を先に送信して、携帯端末からローカルサーバを探索する必要があり、携帯端末による検知後に通信を確立することになる。しかも、携帯端末がローカルサーバの電波の届く範囲から外れると、途端にその周辺に関する情報などを得ることができなくなり安定した通信ができなかった。
【先行技術文献】
【特許文献】
【０００４】
【特許文献１】特開２００６−２４５９５７号公報
【発明の概要】
【発明が解決しようとする課題】
【０００５】
本発明は、このような情報提供システムの問題点にかんがみてなされたもので、携帯端末から探索を行うことなく、また携帯端末がローカルサーバの電波の届く範囲に一旦入ればその後、この携帯端末がこの電波射程範囲から出ても途切れることなくこのローカルサーバ周辺の情報を安定して得ることが可能なローカル情報提供システム、携帯端末及びローカル情報管理サーバを提供する。
【課題を解決するための手段】
【０００６】
上記の課題を解決するために、本発明の一実施形態は、設置位置が特定され自己を識別できる識別名又は他の識別データを所定範囲内で送信するローカル送受信機と、このローカル送受信機の電波到達範囲に入ったときに前記識別名又は前記識別データを受信し、前記識別名又は前記識別データを、ネットワークを介して送信する携帯端末と、この携帯端末から送信される前記識別名又は前記識別データを、前記ネットワークを介して受信し前記ローカル送受信機の位置に関連する情報の所在を示す情報アドレスを検索して前記携帯端末に送信するローカル情報管理サーバと、を有することを特徴とするローカル情報提供システムを提供する。
【図面の簡単な説明】
【０００７】
【図１】一実施形態に係るローカル情報提供システムの構成例を示す図である。
【図２】図１のローカルサーバの構成例を示す図である。
【図３】図１の携帯端末の構成例を示す図である。
【図４】図１のローカル情報管理サーバの構成例を示す図である。
【図５】図１のローカル情報提供システムの動作を説明するためのフローチャートを示す図である。
【図６】図１のローカル情報管理サーバのサーバアドレス対応テーブルの例を示す図である。
【発明を実施するための形態】
【０００８】
以下、本発明の実施の形態について、図面を用いて説明する。一実施形態の全体の構成例を図１に示す。
【０００９】
この情報提供システムは、所定地域１２の範囲内で電波を送信することが可能なローカルサーバ１３と、このローカルサーバ１３と近距離無線通信が可能であり、また、ネットワーク例えばインターネット１４とも接続可能な携帯端末１５ａ，１５ｂと、インターネット１４に接続されているローカル情報管理サーバ１６と、を有する。ここではローカルサーバ１３を１台だけ示してあるが、もちろんこれよりも多い台数があってよく、通常はこれより多い。また、ここでは携帯端末は２台（１５ａ，１５ｂ）だけ示しているが、携帯端末の所有者がこの地域１２に入って来たり出て行ったりするので、携帯端末の台数は変動する。
【００１０】
上記ローカルサーバ１３の構成例を図２に示す。ローカルサーバ１３は、このサーバ自体の機器名を記憶している機器名記憶部２１と、この機器のＭＡＣアドレスを記憶しているＭＡＣアドレス記憶部２２と、後述するローカル情報管理サーバ１６や携帯端末１５ａ，１５ｂに機器名やＭＡＣアドレスを送信する送信部２３と、携帯端末１５ａ，１５ｂからＭＡＣアドレスの問合せ信号を受信する受信部２４と、この受信信号から問合せをしてきた携帯端末を検知する携帯端末検知部２５と、これらの各部を制御し例えば携帯端末検知部２５で検知した携帯端末に対してＭＡＣアドレスをＭＡＣアドレス記憶部２２から送るよう指示するなどの制御を行うローカルサーバ制御部２６と、を有する。ここで機器名とは、ローカルサーバ１３を特定するものであり、同種のローカルサーバが存在する場合にはそれらを区別する必要があり、実際にはユニークな機器ＩＤである。
【００１１】
携帯端末、例えば携帯端末１５ａの構成例を図３に示す。この携帯端末１５ａは、ローカルサーバ１３と送信受信を行うローカル送受信部３１と、ローカルサーバ１３の送信範囲内に入ったことを検知するサーバ検知部３２と、検知されたローカルサーバ１３にローカル送受信部３１を介してそれのＭＡＣアドレスを要求し、そのＭＡＣアドレスを受け取るＭＡＣアドレス要求取得部３３と、得られたローカルサーバ１３の機器名とＭＡＣアドレスを付加してローカルサーバ１３の周辺の情報があるアドレス（ＵＲＬ）を要求する信号を生成する情報アドレス要求部３４と、この情報アドレス要求信号を後述するローカル情報管理サーバ１６に送信し、そのアドレスを受信するネットワーク送受信部３５と、受信したアドレスにアクセスしてローカル情報を表示させる情報表示部３６と、これら各部を制御する携帯端末制御部３７と、を有する。
【００１２】
ローカル情報管理サーバ１６の構成例を図４に示す。このローカル情報管理サーバ１６は、携帯端末１５ａからのローカル情報アドレスを問い合わせる信号等を受信する受信部４１と、問合せをしてきた携帯端末を検知する携帯端末検知部４２と、上記情報アドレス問合せ信号に含まれる機器名、ＭＡＣアドレスを検知する機器名ＭＡＣアドレス検知部４３と、この機器名とＭＡＣアドレスからそのサーバの周辺のローカル情報を表示するＷｅｂサーバのアドレスを検索する情報アドレス検索部４４と、検索された情報アドレス等を送信する送信部４５と、これら各部を制御する管理サーバ制御部４６とを有する。
【００１３】
情報アドレス検索部４４には、例えば図６に示すようなサーバアドレス対応テーブルを記憶している。このサーバアドレス対応テーブルは、ローカルサーバの機器名、ＭＡＣアドレスからそのローカルサーバ近辺のローカル情報のＷｅｂサーバのアドレスを対応付けたテーブルである。図６に示すように、機器名欄６１には機器名であるローカルサーバ１３が表示され、ＭＡＣアドレス欄６２には例えば８ビット毎にコロンで区切られた１６進数表示のアドレスが表示される。これに対応する情報アドレス欄６３には、ＷｅｂサーバのＵＲＬが記載されている。このような対応関係が、例えばローカルサーバ１３からローカル情報管理サーバ１６に送られ、サーバアドレス対応テーブルとして記憶される。
【００１４】
次にこの実施形態のローカル情報提供システムの動作を図５に示すフローチャートに従って説明する。
【００１５】
なお、ここで各ローカルサーバの近くのローカル情報を提供するアプリケーション（ローカル情報アプリという）は、ローカルサーバ１３、携帯端末１５ａ及びローカル情報管理サーバ１６にサーバアプリ、クライアントアプリとして予めインストールされているとする。
【００１６】
まず、ステップＳ５０１で、ローカルサーバ１３でこのローカル情報アプリの設定を行う。即ち、ローカルサーバ１３の機器名とＭＡＣアドレスに対応する情報アドレスをローカル情報管理サーバ１６に送り登録する。この方法はインターネット１４を用いてもよいし、その他の手段によってもよい。
【００１７】
ローカル情報管理サーバ１６には、図６に示したように、機器名とＭＡＣアドレスに対応して情報アドレスがテーブルに記憶される。
【００１８】
次のステップＳ５０２では、ローカルサーバ１３で、ローカル情報アプリを起動し、図２に示す機器名記憶部２１に記憶されている機器名を送信部２３から送信して、携帯端末からのアクセスの待ち受けを開始する。
【００１９】
そして、例えば携帯端末１５ａがステップＳ５０３で上記ローカル情報アプリを起動し、ローカルサーバ１３の電波の到達範囲に入ってくると、ステップＳ５０４で、図３に示す携帯端末１５ａのローカル送受信部３１で、ローカルサーバ１３の機器名を受信して、サーバ検知部３２でローカルサーバ１３が近くにあることを検知する。
【００２０】
携帯端末１５ａでは、サーバ検知部３２でローカルサーバを検知すると、ＭＡＣアドレス要求取得部３３に制御信号を送り、ＭＡＣアドレス要求取得部３３は、ＭＡＣアドレス要求信号をローカル送受信部３１から、ローカルサーバ１３に送信する（ステップＳ５０５）。
【００２１】
これに対してステップＳ５０６では、ローカルサーバ１３の受信部２４で、携帯端末１５ａからの要求信号を受信し、携帯端末検知部２５で携帯端末１５ａを検知し、ローカルサーバ制御部２６は機器名記憶部２１に記憶されている機器名及びＭＡＣアドレス記憶部２２に記憶されているこのローカルサーバ１３のＭＡＣアドレスを、送信部２３から携帯端末１５ａに送信する。
【００２２】
次のステップＳ５０７では、携帯端末１５ａはローカルサーバ１３から送られてきた機器名、ＭＡＣアドレスをローカル送受信部３１で受信し、ＭＡＣアドレス要求取得部３３で得たＭＡＣアドレスと先の機器名を情報アドレス要求部３４に送る。情報アドレス要求部３４は情報アドレス要求信号をネットワーク送受信部３５からローカル情報管理サーバ１６に送信する。
【００２３】
ステップＳ５０８で、ローカル情報管理サーバ１６は受信部４１で、携帯端末１５ａからの情報アドレス要求信号を受信し、要求信号に含まれている、ローカルサーバ１３の機器名及びＭＡＣアドレスを機器名ＭＡＣアドレス検知部４３に送る。機器名ＭＡＣアドレス検知部４３は、機器名及びＭＡＣアドレスを情報アドレス検索部４４に送り、情報アドレス検索部４４は、機器名及びＭＡＣアドレスを検索キーとして対応する情報アドレスを検索する。得られた情報アドレスは、ステップＳ５０９でローカル情報管理サーバ１６の送信部４５から携帯端末１５ａに送信（回答）される。
【００２４】
この送信された情報アドレスは、図３に示す携帯端末１５ａのネットワーク送受信部３５で受信され、この情報アドレスをブラウザに入力してステップＳ５１０で情報表示部３６の画面上に、その内容が表示される。
【００２５】
このようにして、ローカルサーバ１３の周辺情報が地図や文字として、携帯端末１５ａの画面上に表示される。
【００２６】
この実施形態によれば、最初に携帯端末１５ａがローカルサーバ１３の電波の到達範囲に入ったことを契機として、その周辺情報が携帯端末１５ａにおいて得られる。したがって、携帯端末１５ａがローカルサーバ１３の電波の到達範囲に入った後、その範囲から一時的に出たり再度入ったりしても周辺情報を安定して得ることができる利点がある。
【００２７】
上記実施形態では、ローカルサーバ１３は、携帯端末１５ａがその電波到達範囲に入ったことを検知するためにあり、このサーバから周辺情報を送信していない。したがって、ブルートゥースなどの通信に必要なペアリングなど、通信開始時の最初に必要な手作業による処理は必要でない。
【００２８】
なお、ローカルサーバ１３は必ずしもローカルサーバである必要はなく、特定の位置に設置され携帯端末からの要求に応じて機器名とＭＡＣアドレスを送信できるローカル送受信機であればよい。また、ローカルサーバやこのローカル送受信機を特定できるデータは、必ずしも機器名とＭＡＣアドレスである必要はなく、ローカルサーバやこのローカル送受信機を特定できる識別データであればよい。上記実施形態では、携帯端末１５ａは先にローカルサーバ１３を機器名で検知し、その後、このローカルサーバ１３から機器名とＭＡＣアドレスを送信してもらっていた。
【００２９】
しかし、先に取得した機器名を用いれば、その後再度機器名を送信してもらう必要は必ずしもない。また用いる２つのキーの１つは機器名でなく、そのローカルサーバ（ローカル送受信機）を特定できる機器ＩＤであってよい。
【００３０】
実施形態によれば、ＢＴ通信の場合のように、携帯端末から探索を行うことなく、また携帯端末がローカルサーバの電波の届く範囲に一旦入ればその後、この携帯端末がローカルサーバの電波到達範囲から出ても途切れることなく、このサーバ周辺の情報を安定して得ることが可能なローカル情報提供システムが得られる。
【００３１】
上記実施形態では、ローカルサーバの機器名（機器ＩＤ）を一旦取得した後、再度このローカルサーバに他の識別データ（ＭＡＣアドレス）を請求して取得し、この機器名と識別データを、ネットワークを介してローカル情報管理サーバに送信していた。しかし、先に取得した機器名等からローカルサーバの特定が十分なされるならば、この機器名をローカル情報管理サーバに送信して、周辺の情報のありかを示す情報アドレスを取得してもよい。
【００３２】
本発明のいくつかの実施形態を説明したがこれらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
１２・・・・地域
１３・・・・ローカルサーバ
１４・・・・インターネット
１５ａ，１５ｂ・・・・携帯端末
１６・・・・ローカル情報管理サーバ
２１・・・・機器名記憶部
２２・・・・ＭＡＣアドレス記憶部
２３，４５・・・・送信部
２４，４１・・・・受信部
２５・・・・携帯端末検知部
２６・・・・ローカルサーバ制御部
３１・・・・ローカル送受信部
３２・・・・サーバ検知部
３３・・・・ＭＡＣアドレス要求取得部
３４・・・・情報アドレス要求部
３５・・・・ネットワーク送受信部
３６・・・・情報表示部
３７・・・・携帯端末制御部
４２・・・・携帯端末検知部
４３・・・・機器名ＭＡＣアドレス検知部
４４・・・・情報アドレス検索部
【図１】
2014090351.tif 000003
【図２】
2014090351.tif 000004
【図３】
2014090351.tif 000005
【図４】
2014090351.tif 000006
【図５】
2014090351.tif 000007
【図６】
2014090351.tif 000008